(57)【要約】吸水ポンプユニットは、吸水ポンプ（１）と、吸水ポンプ（１）の出口に接続される給水管（２）とを備え、給水管（２）に水流検出装置（３）が設けられ、前記水流検出装置（２）がコントローラー（４）に接続され、前記コントローラー（４）は、電源（５）に接続され、水流検出装置（３）からの信号に基づいて前記吸水ポンプ（１）への給電をオン/オフすることができる。【選択図】図１
2020514623.tif 000002
【特許請求の範囲】
【請求項１】
吸水ポンプ(１)と、吸水ポンプ(１)の出口に接続される給水管(２)とを備え、前記給水管(２)に水流検出装置(３)が設けられ、前記水流検出装置(３)はコントローラー(４)に接続され、前記コントローラー(４)は、電源(５)に接続され、前記水流検出装置(３)からの信号に基づいて前記吸水ポンプ(１)への給電をオン/オフすることができる、吸水ポンプユニット。
【請求項２】
前記水流検出装置(３)は水流スイッチである、請求項１に記載の吸水ポンプユニット。
【請求項３】
前記水流スイッチは、前記給水管(２)内に設けられる羽根車(３１)と、羽根車(３１)に内嵌されるマグネット(３２)と、前記給水管(２)内に設けられ、且つ前記コントローラー(４)に接続される磁気スイッチ(３３)とを備え、前記マグネット(３２)は前記磁気スイッチ(３３)の吸引を制御する、請求項２に記載の吸水ポンプユニット。
【請求項４】
前記電源(５)はアダプター電源である、請求項１に記載の吸水ポンプユニット。
【請求項５】
前記コントローラー(４)が前記アダプター電源内に設けられる、請求項４に記載の吸水ポンプユニット。
【請求項６】
前記コントローラー(４)がケーブル(６)により前記吸水ポンプ(１)に接続され、前記ケーブル(６)がアンカイヤー(７)により前記給水管(２)の外壁に締め付けられる、請求項５に記載の吸水ポンプユニット。
【請求項７】
前記吸水ポンプ(１)が少なくとも１つ設けられ、且つ、前記吸水ポンプ(１)が複数設けられた場合、複数の前記吸水ポンプ(１)の出口がいずれも前記給水管(２)に連通される、請求項１に記載の吸水ポンプユニット。
【請求項８】
吸水ポンプ(１)の出口に接続される給水管(２)に水流検出装置(３)を設け、前記吸水ポンプ(１)に給電しながら水流信号を検出し続け、前記水流検出装置(３)によって水流信号が検出されていない場合、コントローラー(４)によって前記吸水ポンプ(１)への給電をオフにすることを含む、吸水ポンプユニットの制御方法。
【請求項９】
コントローラー(４)によって前記吸水ポンプ(１)への給電をオフにした後に、コントローラー(４)は、前記吸水ポンプ(１)への給電を周期的にオンにし、給電した後に前記水流検出装置(３)によって水流信号を検出し続け、前記水流検出装置(３)によって水流信号が検出されていない場合、コントローラー(４)により前記吸水ポンプ(１)への給電をオフにする、請求項８に記載の制御方法。
【請求項１０】
前記水流検出装置(３)は水流スイッチである、請求項８に記載の制御方法。
【発明の詳細な説明】
【技術分野】
【０００１】
本公開は吸水ポンプの分野に関し、例えば吸水ポンプユニット及びその制御方法に関する。
【背景技術】
【０００２】
技術の発展に伴い、全自動洗濯機も徐々に普及している。しかし、経済条件および配属設備が相対的に立ち後れた農村は、水道システムが普及していない状況があり、この場合、ほとんど手洗いの方式を採用し、全自動洗濯機のあるべき使用価値を実現することができない。
【０００３】
全自動洗濯機が上記の環境に適用できるように、一般的には、洗濯機のために吸水ポンプを備えて使用し、吸水ポンプにより全自動洗濯機の給水を実現する。従来の吸水ポンプは、内臓ポンプおよび外付けポンプの２種類に分けられ、上記２種類の吸水ポンプはいずれも洗濯機により吸水ポンプの給水のオン/オフを制御する。しかしながら、関連技術における外付け吸水ポンプは、通常、単独に通電動作を行うため、洗濯機に制御されず、電源が抜かれていない限り中断することなく動作し、洗濯機への給水がオフされる場合、吸水ポンプもずっと動作していて、長時間動作によって吸水ポンプの寿命が影響される。
【発明の概要】
【課題を解決するための手段】
【０００４】
本公開は、関連技術における外付け吸水ポンプが通電されてずっと動作してしまうことによる、吸水ポンプの寿命に影響する問題を解決するための吸水ポンプユニット及びその制御方法を提供する。
【０００５】
吸水ポンプユニットは、吸水ポンプと、吸水ポンプの出口に接続される給水管とを備え、前記給水管に水流検出装置が設けられ、前記水流検出装置がコントローラーに接続され、前記コントローラーは、電源に接続され、水流検出装置からの信号に基づいて前記吸水ポンプへの給電をオン/オフすることができる。
【０００６】
好ましくは、前記水流検出装置は水流スイッチである。
【０００７】
好ましくは、前記水流スイッチは、給水管内に設けられる羽根車と、羽根車に内嵌されるマグネットと、給水管内に設けられ、且つコントローラーに接続される磁気スイッチとを備え、前記マグネットは、前記磁気スイッチの吸引を制御する。
【０００８】
好ましくは、前記電源はアダプター電源である。
【０００９】
好ましくは、前記コントローラーが前記アダプター電源内に設けられる。
【００１０】
好ましくは、前記コントローラーがケーブルにより吸水ポンプに接続され、前記ケーブルがアンカイヤーにより給水管の外壁に締め付けられる。
【００１１】
好ましくは、前記吸水ポンプが少なくとも１つ設けられ、且つ、吸水ポンプが複数設けられた場合、複数の吸水ポンプの出口がいずれも前記給水管に連通される。
【００１２】
本公開は、更に、吸水ポンプの出口に接続される給水管に水流検出装置を設け、前記吸水ポンプに給電しながら水流信号を検出し続け、前記水流検出装置によって水流信号が検出されていない場合、コントローラーによって前記吸水ポンプへの給電をオフにすることを含む吸水ポンプユニットの制御方法を提供する。
【００１３】
好ましくは、コントローラーによって前記吸水ポンプへの給電をオフにした後に、コントローラーは、吸水ポンプへの給電を周期的にオンにし、所定の時間給電した後に水流検出装置によって水流信号を検出し続け、前記水流検出装置によって水流信号が検出されていない場合、コントローラーによって前記吸水ポンプへの給電をオフにすることをさらに含む。
【００１４】
好ましくは、前記水流検出装置は水流スイッチである。
【発明の効果】
【００１５】
本公開の吸水ポンプユニット及びその制御方法は、水道システムを欠いた環境に効果的に適用することができ、給水管内に水流検出装置を設け、コントローラーを設けることで、水流検出装置によって水流信号の状況を検出し、吸水ポンプへの給電をオン/オフすることができる。関連技術における、外置吸水ポンプが通電されて中断せずに動作する状況を回避し、吸水ポンプの使用寿命を効果的に向上させることができる。
【図面の簡単な説明】
【００１６】
【図１】本実施例に係る吸水ポンプユニットの構造模式図である。
【図２】本実施例に係る吸水ポンプユニットの水流検出装置の構造模式図である。
【図３】本実施例に係る吸水ポンプユニットの制御方法のフローチャートである。
【符号の説明】
【００１７】
１    吸水ポンプ
２    給水管
３    水流検出装置
４    コントローラー
５    電源
６    ケーブル
７    アンカイヤー
３１  羽根車
３２  マグネット
３３  磁気スイッチ。
【発明を実施するための形態】
【００１８】
本実施例は、吸水ポンプユニットを提供する。図１に示すように、該吸水ポンプユニットは、吸水ポンプ１、給水管２、水流検出装置３、コントローラー４、および電源５を備える。
【００１９】
ここで、上記吸水ポンプ１は１つ設けられてもよく、この場合、給水管２が吸水ポンプ１の出口に設けられている。上記吸水ポンプ１は複数設けられてもよく、この場合、上記複数の吸水ポンプ１の出口がいずれも該給水管２に連通され、即ち、複数の吸水ポンプ１が動作する場合、複数の吸水ポンプ１は該給水管２内に送水し、該給水管２を介して水を目的場所にポンピングする。本実施例においては、吸水ポンプ１が１つ設けられている。
【００２０】
上記水流検出装置３が給水管２の内部に取り付けられ、水流検出装置３の取り付け位置は必要に応じて給水管２の対応位置に設けられてもよく、本実施例において、該水流検出装置３が給水管２の出口に取り付けられている。上記水流検出装置３は、コントローラー４に接続され、コントローラー４に水流信号を送信することに用いられ、コントローラー４は上記電源５に接続される。水流検出装置３および電源５を設けることで、コントローラー４は、水流検出装置３によって検出された水流信号の状況に応じて吸水ポンプ１への給電をオン/オフすることができる。
【００２１】
本実施例において、上記水流検出装置３は水流スイッチであってもよいし、水流を検出することができる他の装置、例えば電磁流量計であってもよい（この場合、該電磁流量計は給水管２の出口に取り付けられている）。本実施例においては、水流スイッチが用いられている。
【００２２】
図２に示すように、水流スイッチは、給水管２内に設けられる羽根車３１と、羽根車３１に内嵌されるマグネット３２と、給水管２内に設けられる磁気スイッチ３３とを備え、上記磁気スイッチ３３は、コントローラー４に接続され、コントローラー４に水流信号を送信することに用いされる。一実施例において、上記羽根車３１は、水流により回転可能であり、これによってマグネット３２を回転させ、マグネット３２が磁気スイッチ３３に近い位置まで回転して来ると、磁気スイッチ３３がマグネット３２の磁力によって吸引され、水流信号をコントローラー４に送信し、マグネット３２が回転して磁気スイッチ３３から遠い位置へと離れると、磁気スイッチ３３がオフされる。上記磁気スイッチ３３の１組のオン/オフによって、磁気スイッチ３３は１回の水流信号を発生させることができ、該水流信号をコントローラー４に伝達することもでき、コントローラー４は、吸水ポンプ１への給電をオンにし、吸水ポンプ１を持続的に動作させる。
【００２３】
本実施例において、上記電源５は固体電源であってもよく、アダプター電源であってもよい。本実施例においてアダプター電源が用いられ、アダプター電源は家庭用電力に直接接続することができる。一実施例において、上記コントローラー４は、コントローラー４が外部に露出して破損しやすくなり、ユーザーの使用に影響することを回避するために、上記アダプター電源内に設けられてもよい。
【００２４】
上記コントローラー４がケーブル６により吸水ポンプ１に接続され、且つ、該ケーブル６が少なくとも１つのアンカイヤー７により給水管２の外壁に締め付けられ、これによって、ケーブル６の乱雑な構えを減少することができ、且つ、ケーブル６が水の中に落ちるような所望しない破損を与えることを回避することができる。
【００２５】
本実施例の上記吸水ポンプユニットは、動作させるときに、まず電源５をオンにし、そしてコントローラー４により吸水ポンプ１への給電をオンにし、吸水ポンプ１を起動させ、この時、水は吸水ポンプ１により給水管２内にポンピングされ、これによって給水管２内における水流検出装置３の羽根車３１が回転し、水流検出装置３の磁気スイッチ３３がコントローラー４に水流信号を送信し、水流信号を受信すると、コントローラー４が吸水ポンプ１を動作し続けるように制御し、給水管２は水を搬送し続ける。ユーザーが水を必要としない場合、給水管２の出口が閉じられて出水が停止し、この時、給水管２内における水は流れなくなり、水流検出装置３の磁気スイッチ３３は水流信号を送信しなくなる。この時、コントローラー４が水流信号を受信できなくなり、吸水ポンプ１への給電をオフにし、吸水ポンプ１の動作を停止させる。上記のような構成によって、関連技術における、外置吸水ポンプ１が電源５に連通されると中断せずに動作する状況を回避し、吸水ポンプ１の使用寿命を効果的に向上させることができる。
【００２６】
なお、本実施例における上記吸水ポンプユニットは給水システムが欠乏する環境での様々な電気器具、例えば洗濯機、食器洗い機などの水がなければ使用できない電気器具に広く適用することができる。他の電気器具が使用できないシーンに適用してもよい。
【００２７】
上記吸水ポンプユニットに加えて、本実施例は、吸水ポンプユニットの制御方法を更に提供し、好ましくは、図３に示すように、該制御方法はステップ１１０〜ステップ１３０を含む、
【００２８】
ステップ１１０において、吸水ポンプ１を動作させる。
【００２９】
好ましくは、電源５をオンにした後に、コントローラー４により吸水ポンプ１への給電をオンにし、吸水ポンプ１を動作させる。
【００３０】
ステップ１２０において、前記吸水ポンプ１に給電しながら水流信号を検出し続け、水流検出装置３によって水流信号が検出されていない場合、コントローラー４により吸水ポンプ１への給電をオフにする。
【００３１】
即ち、吸水ポンプ１が動作した後に、給水管２内に水が流れ出し、この時給水管２内に位置する水流検出装置３は水流信号をコントローラー４に送信し、コントローラー４が該水流信号を受信すると、コントローラー４は吸水ポンプ１を動作し続けるように制御し、つまり、水を吸水ポンプ１により搬送し続ける。水流検出装置３によって水流信号が検出されていない場合、即ち、コントローラー４が水流信号を受信していない場合、この時給水管２内の水が流れないことが分かり、即ち、この時、吸水ポンプ１が水をポンピングする必要がない。この時、コントローラー４は吸水ポンプ１への給電をオフにし、吸水ポンプ１の動作を停止させる。
【００３２】
ステップ１３０において、コントローラー４が吸水ポンプ１への給電をオフした後に、コントローラー４は吸水ポンプ１への給電を周期的にオンにし、所定の時間給電した後に水流検出装置３により水流信号を検出し続け、水流検出装置３によって水流信号が検出されていない場合、コントローラー４によって吸水ポンプ１への給電をオフにする。
【００３３】
コントローラー４が吸水ポンプ１への給電をオフにした後に、ユーザーが水を複数回使用する可能性があるため、吸水ポンプ１の吸水および該吸水ポンプユニットの自動動作を実現するために、コントローラー４は吸水ポンプ１への給電を周期的にオンにし(即ち、一定時間毎に、吸水ポンプ１への給電をオンにする)、吸水ポンプ１を起動して動作させ、且つ、吸水ポンプ１に所定の時間の間給電した後に、コントローラー４が水流検出装置３によって検出される水流信号を受信した場合、吸水ポンプ１への給電をオンにし、コントローラー４が水流検出装置３によって検出する水流信号を受信していない場合、吸水ポンプ１への給電をオフにする。
【００３４】
好ましくは、ユーザーが再び水を使用する場合、このとき、給水管２の出口が開けられ、コントローラー４が吸水ポンプ１への給電を周期的にオンする前提で、吸水ポンプ１が起動して吸水し始め、この時、給水管２内における水は流動し、つまり、水流検出装置３が水流信号を検出してコントローラー４に送信し、コントローラー４は吸水ポンプ１を動作し続けるように制御する。ユーザーが水を使用する必要がなくなった場合、給水管２の出口は閉止されて出水が停止され、この時、給水管２内における水が流動しなくなり、水流検出装置３はコントローラー４に水流信号を送信しなくなり、コントローラー４が水流信号を受信することができず、吸水ポンプ１への給電をオフにし、吸水ポンプ１の動作を停止させる。
【００３５】
ステップ１３０によって、ユーザーが再び水を使用するときに吸水ポンプ１に対する自動制御を効果的に実現することができ、吸水ポンプユニット全体の自動化程度を向上させ、ユーザーが使用しやすい。
【００３６】
本実施例において、なお、上記水流検出装置３の羽根車３１はマグネット３２を一周回転させ、マグネット３２は磁気スイッチ３３を一回吸引するように制御し、磁気スイッチ３３は水流信号を一回発生してコントローラー４に送信する。
【産業上の利用可能性】
【００３７】
本公開に係る吸水ポンプユニットは、関連技術における外置吸水ポンプが通電されて中断せずに動作する状況を回避し、吸水ポンプの使用寿命を効果的に向上させる。
【図１】
2020514623.tif 000003
【図２】
2020514623.tif 000004
【図３】
2020514623.tif 000005
【国際調査報告】
2020514623.tif 000006
2020514623.tif 000007
2020514623.tif 000008
2020514623.tif 000009
2020514623.tif 000010